(57)【要約】      （修正有）【課題】製造における手間を少なくし、製造のコストダウンに寄与し、マスクの装着や着脱を容易にし、理容や美容などの施術を円滑にするマスクを提供する。【解決手段】マスク１はマスク本体２と、顔面Ｆに対向するマスク本体の内面２ａの左右両端周辺に設けた接着部３とを備え、マスク本体は口及び鼻孔を覆うことができる大きさであり、接着部はマスク本体の内面に皮膚用保湿クリーム３１を塗付して形成され、顔面に着脱可能に接着する。【選択図】図１
0003229166.tif 000002
【実用新案登録請求の範囲】
【請求項１】
マスク本体と、このマスク本体の内面である顔面に対向する面の少なくとも２周辺に設けた接着部とを備えており、
上記マスク本体は口及び鼻孔を覆うことができる大きさであり、
上記接着部は上記マスク本体の内面に皮膚用保湿クリームを塗付して形成されたものであり、かつ上記顔面に着脱可能に接着するものである
ことを特徴とするマスク。
【請求項２】
皮膚用保湿クリームはワセリンであることを特徴とする請求項１記載のマスク。
【請求項３】
接着部は、マスク本体の左右両側の内面周辺に設けてあることを特徴とする請求項１又は請求項２記載のマスク。
【請求項４】
接着部は、マスク本体の内面の左右及び上下の各両側周辺に設けてあることを特徴とする請求項１又は請求項２記載のマスク。
【考案の詳細な説明】
【技術分野】
【０００１】
この考案は、耳掛けのないマスクに関するものである。
【背景技術】
【０００２】
広く利用されている口や鼻孔を覆うマスクは、長方形状で通気性を有するシートで形成されたマスク本体と、このマスク本体の両側短辺にそれぞれ取り付けた耳掛け紐（耳掛け）を備えている。この種のマスクは、顔面の大きさや耳掛け紐の伸縮性の有無によって紐をかける耳に大きな負担がかかっていた。この負担を軽減するために、例えばマスク本体をポリウレタン製にして全体を伸縮性のあるものにしたものがあるが、負担軽減に限界があった。特に、美容室ではヘアーカット、シャンプー、ヘアーのカラーリング、パーマその他の施術をする場合、感染症、例えば新型コロナウイルスの感染予防のために、顧客がマスクをつけたまま施術をすると、マスクの耳掛け紐が邪魔になり、セットがやりにくく、しかも時間がかかり、さらには不正確になる可能性がある。また、パーマやヘアーのカラーリングをする場合、耳掛け紐に薬剤が付着して耳掛け紐が汚れることがあり、付着した薬剤が肌に触れて肌に悪影響を及ぼす不都合がしばしばある。
上記負担の軽減や不都合の大幅な改善を可能にするマスクとして、特開２００６−２３９３８２号公報におけるマスク及び実用新案登録第３２２３２０１号公報における紐なしマスクが提案されている。
前者のマスクはマスク本体の顔面に相対する面の周縁部に吸盤構造の吸着部を複数設け、マスクの使用時に顔面の鼻及び口の周囲部分へ吸着部を押し当てることにより、上記周囲部分へ着脱自在に吸着させるものである。このため、紐を耳に掛けてマスクを使用する必要がなく、比較的快適な装着が可能となる。
後者のマスクはマスク本体の顔面に相対する面の周辺に粘着層を形成したテープを設け、マスクを上記粘着層により繰り返し顔面に着脱させるため、紐を耳に掛けてマスクを使用する必要がなく、装着時の快適性の向上を図っている。
【先行技術文献】
【特許文献】
【０００３】
【特許文献１】特開２００６−２３９３８２号公報
【特許文献２】実用新案登録第３２２３２０１号公報
【考案の概要】
【考案が解決しようとする課題】
【０００４】
上記前者の従来例によると、多数の吸盤構造の吸着部を顔面に対向するマスク本体の内周縁部に間隔を置いて多数設けるため、マスクの製作に手間がかかると共にコスト高になる問題があり、また多くの吸着部を顔面に吸着させて使用するためにマスクの装着や着脱に手間を要する課題がある。
上記後者の従来例によると、粘着層を形成したテープがマスク本体の周辺に設けるので、顔面とマスク周辺の間に間隙ができないため密閉性が向上し、前者の従来例と比較して装着や着脱の課題は多少改善されるものの、マスク周辺に粘着層を形成したテープを設けるので製作に手間とコストがかかる他に、この粘着テープを顔面に貼るので、顔面の皮膚が荒れ、アレルギーにより赤くなりかぶれる課題があり、また、汗や皮脂でテープが顔面に付きにくく、装着や着脱が容易ではない問題があった。テープとして医療用の両面テープが利用されるとしても、顔面の肌荒れの問題は解消されるが、マスクのコストが高くなる欠点がある。
この考案の目的は、製作の手間を少なくし、製作のコストダウンに寄与し、マスクの装着や着脱を容易し、理容や美容などの施術を円滑にすることにある。
【課題を解決するための手段】
【０００５】
この考案に係るマスクの第１の特徴は、マスク本体と、このマスク本体の内面である顔面に対向する面の少なくとも２周辺に設けた接着部とを備えていることにある。上記マスク本体は口及び鼻孔を覆うことができる大きさであり、上記接着部は上記マスク本体の内面に皮膚用保湿クリームを塗付して形成され、かつ上記顔面に離脱可能に接着されるものである。
この考案に係るマスクの第２の特徴は第１の特徴を前提とし、皮膚用保湿クリームがワセリンであることにある。
この考案に係るマスクの第３の特徴は第１又は第２の特徴を前提とし、接着部がマスク本体の左右両側部の内面周辺に設けられていることにある。
この考案に係るマスクの第４の特徴は第１又は第２の特徴を前提とし、接着部がマスク本体の内面の左右及び上下の各両側部周辺に設けられていることにある。
【考案の効果】
【０００６】
この考案のマスクによれば、耳掛けに代えて皮膚用保湿クリームからなる接着部を用いるので、従来例と比較してマスクの製作の手間を少なくし、製造のコストダウンに寄与することができ、マスクの装着や着脱を容易にすることができ、マスクを耳掛けなしで顔面に装着することが可能であることから理容や美容などの施術を円滑にすることができる。
【図面の簡単な説明】
【０００７】
【図１】この考案のマスクの使用状態を示す斜視図である。
【図２】この考案のマスクを示す正面図である。
【図３】この考案のマスクを示す背面図である。
【図４】この考案のマスクのマスク本体を二つ折りした状態を示す拡大側面図である。
【図５】この考案のマスクのマスク本体を二つ折りした状態を示す一部切欠拡大側面図である。
【図６】この考案のマスクの他の形態を示す正面図である。
【図７】この考案のマスクの上記他の形態を示す背面図である。
【考案を実施するための形態】
【０００８】
この考案に係るマスクの一実施形態を図１〜図５を参照して説明する。
この考案の実施形態を示すマスク１は、マスク本体２とこのマスク本体の内面２ａ、すなわち顔面Ｆに対向する面に設けてある接着部３とを備えている。
【０００９】
図１〜図３において、マスク１のマスク本体２は通気性を有する織布や不織布からなり、口や鼻孔を覆うことができる大きさに形成されている。織布や不織布を構成する繊維素材はペーパーなどの天然繊維、ポリエチレンなどの合成繊維である。マスク本体２ａは、１対のシート状のマスク半体２１，２１を組み合わせたものである。
図２〜図５に示す両マスク半体２１，２１は円弧状の一辺を互いに接合して形成したものであり、接合部分２ｂがマスク本体２の縦中心部である（図２参照）。マスク１が使用されていない状態では、マスク本体２が二つ折りされている。また、マスク１の使用時には、マスク本体２はこれを外側に向かって開くことにより立体形状が形成されている。
【００１０】
図２〜図５において、マスク本体２の内面２ａである顔面に対向する面には接着部３をそれぞれ帯状に設けてあり、図２及び図３に示す例ではマスク本体の内面の左右両側部の周辺に設けてある。両接着部３はマスク本体２の内面２ａに皮膚用保湿クリーム３１を塗付して形成されたものであり、かつ顔面Ｆ（図１）に離脱可能に接着するものである。皮膚用保湿クリーム３１としてワセリンなどが使用される。
【００１１】
次に、この考案のマスク１の使用方法を図１〜図５に基づいて説明する。
上述したように、二つ折りされているマスク本体２の左右端部を外側に向かって開くと、マスク本体は中央部分の接合部分２ｂを中心として外側に膨らんで立体形状に形成される。
そして、マスク１を装着予定者の口及び鼻孔をマスク本体２で覆いながら、顔面Ｆにマスク本体の内面２ａを当て、接着部３を外側から顔面に向けて押圧すると、マスク本体は皮膚用保湿クリーム３１を通じて上記顔面に接着される。この結果、マスク１は、図１に示すように顔面Ｆに装着される。
その後、マスク１の装着者に対して口及び鼻孔を覆った状態で、この装着者の理美容などを開始する。
【００１２】
この考案に係るマスクの他の実施形態を図６及び図７を参照して説明する。
マスク１１のマスク本体１２は１枚の四角形（長方形又は正方形）のシートから構成されている。マスク本体１２の内面１２ａの左右両端部の周辺に接着部１３をそれぞれ設けている他に、上下両端部の周辺に接着部１４を設けている。接着部１３，１４はいずれも帯状に形成され、内面１２ａに皮膚用保湿クリーム１３１，１４１を塗付して形成されている。図７に示す例では接着部１４はその幅が接着部１３より狭く、また両端は接着部１３に達していないが、達するようにしても良い。
マスク１１の使用時にはマスク本体１２の内面１２ａをマスク装着予定者の顔面に対応させた状態で、マスク本体で口及び鼻孔を覆いながら内面を顔面に押し当てて左右及び上下の接着部１３，１４を皮膚用保湿クリーム１３１，１４１を通じてマスクを顔面に接着させる。その後、マスク１１を付けたままで、理美容室などにおいてシャンプーやヘアーのカラーリングなどの施術をする。
【００１３】
図１〜図３及び図６〜図７に示すマスク１，１１によれば、耳掛けをなくすと共に、耳掛けに代わる接着部３，１３，１４は皮膚用保湿クリーム３１，１３１，１４１をマスク本体２，１２の内面２ａ，１２ａに塗付して形成するので従来例と比較しマスクの製作の手間が少なく済むと共に製作が容易になり、製作のコストダウンを図ることができ、顔面の皮膚に優しいマスクを提供することができる。接着部３，１３，１４は皮膚用保湿クリーム３１，１３１，１４１により形成されているので、顔面Ｆへの接着や顔面からの着脱が容易になる。皮膚用保湿クリーム３１，１３１，１４１は汗や皮脂があってもこれらに関係なく顔面に密着することができる。マスク１，１１に対して皮膚用保湿クリーム３１，１３１，１４１を必要時に応じて何回も塗りなおすことにより、マスクの接着機能の長寿命化を維持できる。また、マスク１，１１を顔面Ｆから外した後も、顔面に付着した皮膚用保湿クリーム３１，１３１，１４１を拭き取れば顔面の肌に及ぼす悪影響を抑制することができる。皮膚用保湿クリーム３１，１３１，１４１としてワセリンを用いると、このワセリンが顔面Ｆの肌に密着しやすい素材であるが、従来の粘着テープに比べて肌に与える影響が少なく、肌に弱い顧客に使用することができる。そしてワセリンは比較的に入手し易いため、マスクの製作の容易性に寄与する。
また、例えば理美容室において、顧客に対してヘアーカット、シャンプー、ヘアーのカラーリングなどの施術をする際、マスク１，１１には耳掛けがないので、最初から最後までマスクを着けたままの状態で施術を行え、その作業が円滑に行え、そして感染症、例えば新型コロナウイルスの感染防止や他人からの感染の予防を図ることができる。
【００１４】
この考案に係るマスク１，１１のマスク本体２，１２の形状については、正面四角形及び立体形で説明しているが、これらの形状に限定されない。マスク本体２，１２の材質は上述するように不織布など特に問うものではないが、キッチンペーパー又はこのペーパーに同等な素材を用いると、マスク本体に対して皮膚用保湿クリーム３１，１３１，１４１の塗付が円滑に行える。接着部３，１３，１４の配置位置は図示するようにマスク本体２，１２の上下左右両端部側であっても良いが、左右の両端部側のみでも、上下の両端部側のみでも良い。接着部３，１３，１４における皮膚用保湿クリーム３１，１３１，１４１の厚みは、マスク本体２，１２が顔面Ｆである頬の皮膚に密着する程度で良く、指で一塗りする程度で良い。
接着部３，１３において、マスク本体２，１２の左右両端に配置されている場合、皮膚用保湿クリーム３１，１３１はマスク本体２，１２の上下周端辺に達するまで塗付するのが良い。また、接着部１４において、皮膚用保湿クリーム１４１はマスク本体２，１２の左右の周端辺に達するまで塗付するのが良い。この場合、接着部３，１３の両端部は接着部１４の両端部と重ならないようにするのが望ましい。
【符号の説明】
【００１５】
１，１１                マスク
２，１２                マスク本体
２ａ，１２ａ            マスク本体の内面
２１                    マスク半体
３，１３                接着部
３１，１３１，１４１    皮膚用保湿クリーム
【図１】
0003229166.tif 000003
【図２】
0003229166.tif 000004
【図３】
0003229166.tif 000005
【図４】
0003229166.tif 000006
【図５】
0003229166.tif 000007
【図６】
0003229166.tif 000008
【図７】
0003229166.tif 000009